(57)【要約】【課題】テレビ受信機能付き携帯電話機器におけるテレビ番組の視聴では、電話の着信による応答やバッテリの低下などの原因により、視聴中の番組を見逃してしまうという課題がある。【解決手段】テレビ番組の視聴中に電話着信に応答して視聴が中断された場合には、端末に内蔵されたメモリー記録装置に自動的に録画しておく。さらに、バッテリ残量が低下して端末自身での録画継続が困難な場合には、自動的に遠隔録画モードに切り替えて、自宅などの遠隔録画装置に録画を続ける。【選択図】図１
2006254013.tif 000002
【特許請求の範囲】
【請求項１】
電話の着信を検出する着信検出手段と、電話応答時に視聴していた番組の録画開始指示を通知する電話応答検出手段と、端末の電池残量を監視する電池残量監視手段と、録画処理手段に録画・中止指示の通知を行なう録画制御手段と、内蔵された内部記録メモリーである録画記録装置に番組を記録する録画処理手段と、遠隔録画記録装置に録画指示を通達する遠隔録画通達手段と、受信したテレビの映像と音声をデコードするデコード処理手段と、再生処理手段に再生・中止指示の通知を行なう再生制御手段と、録画記録装置から録画データを読み込み再生を行なう再生処理手段と、デコード信号と再生処理手段からの信号を切り替えて入力する入力切替手段と、入力切替手段からの入力を音声出力装置と映像表示装置に出力する出力処理手段とを具備することを特徴とする録画再生装置。
【請求項２】
前記録画処理手段は、外部記憶メモリーである録画記録装置に記録することを特徴とする請求項１記載の録画再生装置。
【請求項３】
前記録画制御手段は、前記電話応答検出手段から電話応答の通知を受けると自動的に録画処理手段に録画開始の指示を通知することを特徴とする請求項１または請求項２記載の録画再生装置。
【請求項４】
前記録画制御手段は、前記電池残量監視手段から電池残量の少ないことの通知を受けると自動的に遠隔録画通達手段に遠隔録画指示を通知することを特徴とする請求項１または請求項２または請求項３記載の録画再生装置。
【請求項５】
前記再生制御手段は、前記電話応答検出手段から電話応答の通知を受けると自動的に再生処理手段に再生の一時停止指示を通知することを特徴とする請求項１または請求項２または請求項３または請求項４記載の録画再生装置。
【請求項６】
前記再生制御手段は、前記電池残量監視手段から電池残量の少ないことの通知を受けると自動的に再生処理手段に再生の一時停止指示を通知することを特徴とする請求項１または請求項２または請求項３または請求項４または請求項５記載の録画再生装置。
【請求項７】
電話の着信を検出する着信検出ステップと、電話応答時に視聴していた番組の録画開始指示を通知する電話応答検出ステップと、端末の電池残量を監視する電池残量監視ステップと、録画処理ステップに録画・中止指示の通知を行なう録画制御ステップと、内蔵された内部記録メモリーである録画記録方法に番組を記録する録画処理ステップと、遠隔録画記録方法に録画指示を通達する遠隔録画通達ステップと、受信したテレビの映像と音声をデコードするデコード処理ステップと、再生処理ステップに再生・中止指示の通知を行なう再生制御ステップと、録画記録方法から録画データを読み込み再生を行なう再生処理ステップと、デコード信号と再生処理ステップからの信号を切り替えて入力する入力切替ステップと、入力切替ステップからの入力を音声出力方法と映像表示方法に出力する出力処理ステップとを具備することを特徴とする録画再生方法。
【請求項８】
前記録画処理ステップは、外部記憶メモリーである録画記録方法に記録することを特徴とする請求項７記載の録画再生方法。
【請求項９】
前記録画制御ステップは、前記電話応答検出ステップから電話応答の通知を受けると自動的に録画処理ステップに録画開始の指示を通知することを特徴とする請求項７または請求項８記載の録画再生方法。
【請求項１０】
前記録画制御ステップは、前記電池残量監視ステップから電池残量の少ないことの通知を受けると自動的に遠隔録画通達ステップに遠隔録画指示を通知することを特徴とする請求項７または請求項８または請求項９記載の録画再生方法。
【請求項１１】
前記再生制御ステップは、前記電話応答検出ステップから電話応答の通知を受けると自動的に再生処理ステップに再生の一時停止指示を通知することを特徴とする請求項７または請求項８または請求項９または請求項１０記載の録画再生方法。
【請求項１２】
前記再生制御ステップは、前記電池残量監視ステップから電池残量の少ないことの通知を受けると自動的に再生処理ステップに再生の一時停止指示を通知することを特徴とする請求項７または請求項８または請求項９または請求項１０または請求項１１記載の録画再生方法。
【請求項１３】
前記請求項７〜１２のいずれか一つに記載の録画再生方法の各ステップをコンピュータに実行させるためのプログラムを記録したコンピュータ読み取り可能な記録媒体。
【発明の詳細な説明】
【技術分野】
【０００１】
本発明は、テレビ受信機能付き携帯電話機器でのテレビ視聴中における着信やバッテリ切れなどの要因により継続視聴が困難な場合の自動録画システムに関するものである。
【背景技術】
【０００２】
従来のテレビ受信機能付き携帯電話機器では、携帯電話機器でテレビを視聴中に電話着信が発生した場合には、視聴を中断して電話に応答しなければならなかったため、通話中の番組を見逃してしまうという問題があった。また、バッテリ残量の低下により、番組視聴を断念しなければならない問題もあった。
【０００３】
これらの問題のうち、着信時の問題を解決する技術として、携帯型視聴装置という装置がある（例えば、特許文献１参照）。これは番組視聴中に着信があり通話を開始したら、装置内蔵のメモリーに視聴中の番組の映像と音声を録画しておき、通話終了後に自動的に再生を行ない続きを視聴可能とすることを提供している。
【０００４】
また、バッテリ残量低下の問題を解決する技術として、携帯型視聴装置という装置がある（例えば、特許文献２参照）。これは視聴装置の電池残量が或るレベル以下に低下した場合にＬＣＤパネルのバックライトを低電力で駆動させ、電池残量が更により低いレベルに低下した場合には映像表示駆動部への通電を停止して受信映像と音声をメモリカードに記録して、バッテリの残量低下に起因する番組視聴断念を極力回避することを提供している。
【０００５】
一方で、遠隔操作システムという遠隔録画予約システムがある（例えば、特許文献３参照）。これは、ユーザが外出先などから携帯端末により自宅などの録画機器に対して録画を予約するシステムを提供している。
【特許文献１】特開２００３−１１１００４号公報
【特許文献２】特開２００３−２７４３１３号公報
【特許文献３】特開２００３−２０４４９８号公報
【発明の開示】
【発明が解決しようとする課題】
【０００６】
しかし特許文献１や特許文献２の発明では、装置のバッテリ残量が完全に無くなってしまって駆動不可能な状態になった場合には、番組視聴を断念せざるを得ない。また、特許文献３の発明では、ユーザが携帯端末から自宅などの録画機器に録画を予約する操作が必要になり、電話の着信時や電池切れなどの即応性が要求されるシーンにおいては、瞬時に録画の対応が困難である。
【０００７】
このように、テレビ受信機能付き携帯電話機器での番組視聴では、電話の着信時や電池切れなどの要因により、番組を見逃してしまうという課題がある。
【０００８】
本発明は、テレビ視聴中に着信があって応答した場合や電池切れの場合でも、視聴を中断された部分から続きを視聴することが可能な録画再生装置を提供することを目的とする。
【課題を解決するための手段】
【０００９】
本発明の請求項１に係る録画再生装置は、電話の着信を検出する着信検出手段と、電話応答時に視聴していた番組の録画開始指示を通知する電話応答検出手段と、端末の電池残量を監視する電池残量監視手段と、録画処理手段に録画・中止指示の通知を行なう録画制御手段と、内蔵された内部記録メモリーである録画記録装置に番組を記録する録画処理手段と、遠隔録画記録装置に録画指示を通達する遠隔録画通達手段と、受信したテレビの映像と音声をデコードするデコード処理手段と、再生処理手段に再生・中止指示の通知を行なう再生制御手段と、録画記録装置から録画データを読み込み再生を行なう再生処理手段と、デコード信号と再生処理手段からの信号を切り替えて入力する入力切替手段と、入力切替手段からの入力を音声出力装置と映像表示装置に出力する出力処理手段とを具備することを特徴とする。
【００１０】
また、本発明の請求項２に係る録画再生装置は、請求項１の録画再生装置の構成において、録画処理手段は、外部記憶メモリーである録画記録装置に記録することを特徴とする。
【００１１】
また、本発明の請求項３に係る録画再生装置は、請求項１または請求項２の録画再生装置の構成において、録画制御手段は、前記電話応答検出手段から電話応答の通知を受けると自動的に録画処理手段に録画開始の指示を通知することを特徴とする。
【００１２】
また、本発明の請求項４に係る録画再生装置は、請求項１または請求項２または請求項３の録画再生装置の構成において、録画制御手段は、前記電池残量監視手段から電池残量の少ないことの通知を受けると自動的に遠隔録画通達手段に遠隔録画指示を通知することを特徴とする。
【００１３】
また、本発明の請求項５に係る録画再生装置は、請求項１または請求項２または請求項３または請求項４の録画再生装置の構成において、再生制御手段は、前記電話応答検出手段から電話応答の通知を受けると自動的に再生処理手段に再生の一時停止指示を通知することを特徴とする。
【００１４】
また、本発明の請求項６に係る録画再生装置は、請求項１または請求項２または請求項３または請求項４または請求項５の録画再生装置の構成において、再生制御手段は、前記電池残量監視手段から電池残量の少ないことの通知を受けると自動的に再生処理手段に再生の一時停止指示を通知することを特徴とする。
【発明の効果】
【００１５】
本発明の録画再生装置によれば、テレビ視聴中に着信があって応答した場合や電池切れの場合でも、視聴を中断された部分から続きを視聴することができることができる。
【発明を実施するための最良の形態】
【００１６】
（実施の形態１）
図１は、本発明の実施の形態１に係る録画再生装置の構成を示すブロック図である。
【００１７】
図１において、１０１は電話受信部、１０２は着信検出部、１０３は電話応答検出部、１０４は電池残量監視部、１０５は録画制御部、１０６は遠隔録画通達部、１０７は遠隔録画記録装置、１０８は録画処理部、１０９は録画記録装置、１１０はテレビ受信部、１１１はデコード処理部、１１２は再生制御部、１１３は再生処理部、１１４は入力切替部、１１５は出力処理部、１１６は音声出力装置、１１７は映像表示装置から構成される。
【００１８】
次に、本発明の録画再生装置における自動録画処理について、図２および図３に示すフローチャートを用いて説明する。以下に図２を用いて録画再生装置における着信時の録画処理を説明する。
【００１９】
ステップＳ２０１で電話の着信を検出して、ステップＳ２０２に移る。ステップＳ２０２で電話に応答したか判別して、応答した場合にはステップＳ２０３に移る。ステップＳ２０３で再生中の番組を停止してステップＳ２０４に移る。ステップＳ２０４で録画に必要な準備処理を行ないステップＳ２０５へ移る。ステップＳ２０５で電池残量が十分あるか判別して、残量が十分な場合にはステップＳ２０６へ移り、残量が十分では無い場合にはステップＳ２０７へ移る。ステップＳ２０６でメモリーに録画開始処理を行ない終了する。ステップＳ２０７で遠隔録画へ通知を行ない終了する。
【００２０】
次に図３を用いて録画再生装置における電池残量低下時の録画処理を説明する。ステップＳ３０１で電池残量の低下かを検出し、ステップＳ３０２に移る。ステップＳ３０２で再生中かどうか判別し、再生中の場合にはステップＳ３０３へ移り、再生中でない場合にはステップＳ３０４へ移る。ステップＳ３０３で再生を停止してステップＳ３０４へ移る。ステップＳ３０４で録画中か判別し、録画中の場合にはステップＳ３０５へ移り、録画中でない場合には終了する。ステップＳ３０５でメモリーへの録画処理を停止してステップＳ３０６へ移る。ステップＳ３０６で遠隔録画へ通知を行ない終了する。
【産業上の利用可能性】
【００２１】
本発明の録画再生装置は、テレビ視聴中に着信があって応答した場合や電池切れの場合でも、視聴を中断された部分から続きを視聴することができ、携帯電話や携帯テレビなどの移動体端末における録画再生装置として有用である。
【図面の簡単な説明】
【００２２】
【図１】本発明の実施の形態１における録画再生装置の構成を示すブロック図
【図２】本発明の実施の形態１における着信時の録画処理を示すフローチャート
【図３】本発明の実施の形態１における電池残量低下時の録画処理を示すフローチャート
【符号の説明】
【００２３】
１０１    電話受信部
１０２    着信検出部
１０３    電話応答検出部
１０４    電池残量監視部
１０５    録画制御部
１０６    遠隔録画通達部
１０７    遠隔録画記録装置
１０８    録画処理部
１０９    録画記録装置
１１０    テレビ受信部
１１１    デコード処理部
１１２    再生制御部
１１３    再生処理部
１１４    入力切替部
１１５    出力処理部
１１６    音声出力装置
１１７    映像表示装置
【図１】
2006254013.tif 000003
【図２】
2006254013.tif 000004
【図３】
2006254013.tif 000005